(57)【要約】【課題】コンピュータとの接続不要で、入力装置と接続してＥＤＩＤ記録作業を行えるポータブル拡張ディスプレイ認識データ記録器。【解決手段】本発明のポータブル拡張ディスプレイ認識データ記録器は、ＥＤＩＤ記録待機中のディスプレイに接続された少なくとも一つのビデオインタフェース、ＥＤＩＤ及びシステムデータを保存したメモリユニット、該入力装置との接続用の入力装置インタフェース、該少なくとも一つのビデオインタフェース、該メモリユニット及び該入力装置インタフェースと電気的に接続されたマイクロコントローラ、を包含する。これにより本発明はコンピュータ構造から離脱して直接ＥＤＩＤを記録でき、すなわち単独作業で一回で一つ以上の接続インタフェースを記録でき、コストと時間を節約できる。【選択図】図４
2008304883.tif 000002
【特許請求の範囲】
【請求項１】
外部コンピュータとの接続不要の条件下で、入力装置の接続により拡張ディスプレイ認識データ（ＥＤＩＤ）記録作業を行うポータブル拡張ディスプレイ認識データ記録器であって、該ポータブル拡張ディスプレイ認識データ記録器は、
ＥＤＩＤ記録待機中のディスプレイに接続される少なくとも一つのビデオインタフェースと、
ＥＤＩＤとシステムデータを保存するメモリユニットと、
該入力装置との接続用の入力装置インタフェースと、
該少なくとも一つのビデオインタフェース、該メモリユニット及び該入力装置インタフェースと電気的に接続されたマイクロコントローラと、
を包含し、該入力装置により該ＥＤＩＤ記録待機中のディスプレイ上の製品バーコードを入力して製品データを獲得し、更に該マイクロコントローラにより該製品データを該メモリユニットより取得したＥＤＩＤと併せて該ＥＤＩＤ記録待機中のディスプレイに伝送することを特徴とする、ポータブル拡張ディスプレイ認識データ記録器。
【請求項２】
請求項１記載のポータブル拡張ディスプレイ認識データ記録器において、該マイクロコントローラに電気的に接続された拡充インタフェースを更に包含したことを特徴とする、ポータブル拡張ディスプレイ認識データ記録器。
【請求項３】
請求項２記載のポータブル拡張ディスプレイ認識データ記録器において、該拡充インタフェースがマルチプレクサと組み合わされてデータをダウンロードすることを特徴とする、ポータブル拡張ディスプレイ認識データ記録器。
【請求項４】
請求項２記載のポータブル拡張ディスプレイ認識データ記録器において、該拡充インタフェースに接続されて該入力装置により該ＥＤＩＤ記録待機中の該ディスプレイ上の製品バーコードを入力して該製品データを獲得した後に、製品情報を表示する表示ユニットを更に包含したことを特徴とする、ポータブル拡張ディスプレイ認識データ記録器。
【請求項５】
請求項４記載のポータブル拡張ディスプレイ認識データ記録器において、記録作業完成後に、該表示ユニットが記録状態情報を表示できることを特徴とする、ポータブル拡張ディスプレイ認識データ記録器。
【請求項６】
請求項１記載のポータブル拡張ディスプレイ認識データ記録器において、該製品情報が、製品型番、製品シリアルナンバー及び製造日を指すことを特徴とする、ポータブル拡張ディスプレイ認識データ記録器。
【請求項７】
請求項１記載のポータブル拡張ディスプレイ認識データ記録器において、該マイクロコントローラに電気的に接続されてＥＤＩＤ記録状態メッセージを通知するスピーカを更に包含したことを特徴とする、ポータブル拡張ディスプレイ認識データ記録器。
【請求項８】
請求項１記載のポータブル拡張ディスプレイ認識データ記録器において、該マイクロコントローラに電気的に接続されてＥＤＩＤ記録状態メッセージを通知する指示ランプセットを更に包含したことを特徴とする、ポータブル拡張ディスプレイ認識データ記録器。
【請求項９】
請求項８記載のポータブル拡張ディスプレイ認識データ記録器において、該指示ランプセットが緑色、赤色及び黄色発光ダイオードを包含したことを特徴とする、ポータブル拡張ディスプレイ認識データ記録器。
【請求項１０】
請求項１記載のポータブル拡張ディスプレイ認識データ記録器において、該メモリユニットが更に計数データを保存可能で、該計数データは該マイクロコントローラにより更新可能であることを特徴とする、ポータブル拡張ディスプレイ認識データ記録器。
【請求項１１】
請求項１０記載のポータブル拡張ディスプレイ認識データ記録器において、該計数データが該システムデータ中に包含されたことを特徴とする、ポータブル拡張ディスプレイ認識データ記録器。
【請求項１２】
請求項１０記載のポータブル拡張ディスプレイ認識データ記録器において、該マイクロコントローラに電気的に接続されると共に外部コンピュータとの接続に用いられる外部コンピュータ接続インタフェースを更に包含し、これによりデータをダウンロードして該メモリユニット中の該ＥＤＩＤを更新できることを特徴とする、ポータブル拡張ディスプレイ認識データ記録器。
【請求項１３】
請求項１２記載のポータブル拡張ディスプレイ認識データ記録器において、該外部コンピュータ接続インタフェースが外部コンピュータとの接続に用いられて、これにより該メモリユニット中の該計数データがアップロードされることを特徴とする、ポータブル拡張ディスプレイ認識データ記録器。
【請求項１４】
請求項１記載のポータブル拡張ディスプレイ認識データ記録器において、該メモリユニットに更に検査コードが保存され、この検査コードがうっかり防止機能用とされることを特徴とする、ポータブル拡張ディスプレイ認識データ記録器。
【請求項１５】
請求項１記載のポータブル拡張ディスプレイ認識データ記録器において、該メモリユニットに更にＩＤコードが保存され、このＩＤコードがＥＤＩＤ記録器の唯一のＩＤコードであり、登録方式で授権を獲得した後にＥＤＩＤをダウンロードするのに用いられることを特徴とする、ポータブル拡張ディスプレイ認識データ記録器。
【請求項１６】
請求項１記載のポータブル拡張ディスプレイ認識データ記録器において、電源ユニットを更に包含し、該電源ユニットは充放電機能を具備し、各ユニットに対して電源を供給できることを特徴とする、ポータブル拡張ディスプレイ認識データ記録器。
【請求項１７】
請求項１６記載のポータブル拡張ディスプレイ認識データ記録器において、該入力装置が電源入力ユニットを更に包含し、該電源入力ユニットは該電源ユニットに対して充電可能であることを特徴とする、ポータブル拡張ディスプレイ認識データ記録器。
【請求項１８】
請求項１記載のポータブル拡張ディスプレイ認識データ記録器において、該入力装置が電源入力ユニットを更に包含し、該電源入力ユニットは各ユニットに対して電源供給可能であることを特徴とする、ポータブル拡張ディスプレイ認識データ記録器。
【請求項１９】
請求項１８記載のポータブル拡張ディスプレイ認識データ記録器において、該電源入力ユニットの供給する電源が直流電源であることを特徴とする、ポータブル拡張ディスプレイ認識データ記録器。
【請求項２０】
請求項１８記載のポータブル拡張ディスプレイ認識データ記録器において、該電源入力ユニットがＥＤＩＤ記録待機中のディスプレイの電力を供給でき、該電源入力ユニットが該ＥＤＩＤ記録待機中のディスプレイを電源に接続不要で或いは起動してＥＤＩＤを該ＥＤＩＤ記録待機中のディスプレイに伝送できるようにすることを特徴とする、ポータブル拡張ディスプレイ認識データ記録器。
【請求項２１】
請求項１記載のポータブル拡張ディスプレイ認識データ記録器において、該少なくとも一つのビデオインタフェースがＶＧＡビデオインタフェース、ＤＶＩビデオインタフェース、ＨＤＭＩビデオインタフェース、及びＵＤＩビデオインタフェースを包含することを特徴とする、ポータブル拡張ディスプレイ認識データ記録器。
【請求項２２】
請求項１記載のポータブル拡張ディスプレイ認識データ記録器において、該メモリユニットがＥＥＰＲＯＭとされることを特徴とする、ポータブル拡張ディスプレイ認識データ記録器。
【請求項２３】
請求項１記載のポータブル拡張ディスプレイ認識データ記録器において、該入力装置がバーコードスキャナとされることを特徴とする、ポータブル拡張ディスプレイ認識データ記録器。
【請求項２４】
請求項１記載のポータブル拡張ディスプレイ認識データ記録器において、該入力装置がキーボードとされることを特徴とする、ポータブル拡張ディスプレイ認識データ記録器。
【請求項２５】
請求項１記載のポータブル拡張ディスプレイ認識データ記録器において、該入力装置が無線入力装置とされることを特徴とする、ポータブル拡張ディスプレイ認識データ記録器。
【請求項２６】
請求項２５記載のポータブル拡張ディスプレイ認識データ記録器において、該入力装置がＲＦＩＤとされることを特徴とする、ポータブル拡張ディスプレイ認識データ記録器。
【請求項２７】
請求項２５記載のポータブル拡張ディスプレイ認識データ記録器において、該入力装置が無線キーボードとされることを特徴とする、ポータブル拡張ディスプレイ認識データ記録器。
【発明の詳細な説明】
【技術分野】
【０００１】
本発明は一種の拡張ディスプレイ認識データ（ＥＤＩＤ）を記録する装置に係り、特に、コンピュータを使用せずにＥＤＩＤを記録するのに適用されるＥＤＩＤ記録器に関する。
【背景技術】
【０００２】
コンピュータテクノロジーの普及に伴い、プラグアンドプレイの機能はコンピュータ周辺機器に必要とされる機能となっている。ディスプレイでは、ＶＥＳＡ（Video Electronics Standard Association  ）が重大なディスプレイ及びディスプレインタフェース標準の推進と開発を請け負い、その互換性を確保している。拡張ディスプレイ認識データ（ＥＤＩＤ）はＶＥＳＡがディスプレイのために制定した標準データ形式である。ＥＤＩＤはディスプレイの基本データ、例えば販売者情報、最大画像サイズ、色彩特徴、使用周波数制限等を包含する。該ＥＤＩＤシステムはディスプレイ中に記録されてコンピュータとコミュニケートするのに用いられ、プラグアンドプレイの機能を達成する。
【０００３】
周知の技術中、メーカーはパーソナルコンピュータ構造を用いて、ディスプレイのＶＧＡインタフェース、ＶＤＩインタフェースを通してＥＤＩＤをディスプレイの電気的消去不能のメモリ中に書き込む。
【０００４】
図１及び図２は伝統的なＥＤＩＤ記録作業及び装置の表示図である。図１、２より分かるように、それはいずれもコンピュータ装置１９３が信号線１９４でディスプレイ１９１に接続され、並びにスキャナ１９２を通してディスプレイ１９１に対してＥＤＩＤ記録作業を行う。図１と図２の異なるところは、図１においては、コンピュータ装置１９３はＶＧＡインタフェースを具えたグラフィックカードでディスプレイ１９１のＶＧＡインタフェース１９１１に対して、記録動作を行う。ただしこのような接続による記録方式において、コンピュータ装置１９３のグラフィックカードは、ＶＢＥ（ＶＥＳＡ  ＢＩＯＳ  Ｅｘｔｅｎｓｉｏｎｓ  Ｆｕｎｃｔｉｏｎｓ）を具備していなければ、往々にして互換性不支援の状況が生じる。
【０００５】
このほか図２においては、インタフェースアダプタ１９５が取り付けられ、これにより図１のＶＢＥ互換性の問題を克服すると共に、ディスプレイのＤＶＩインタフェース１９１２に対して記録を行え、これによりコンピュータのＶＧＡインタフェースを変換によりディスプレイ１９１の異なるインタフェースに適応させている。
【０００６】
別の周知の記録作業及び装置は図３に示されるようであり、それによると、コンピュータ装置２９３はプリンタポート２９３１、或いはその他の、例えばＲＳ２３２、ＵＳＢポートを包含する。その周知の記録方式は、コンピュータ装置２９３をプリンタポータ２９３１或いはその他のポートよりインタフェースアダプタ２９５を介してディスプレイ２９１のＤＶＩインタフェース２９１１に接続した後、ＥＤＩＤをディスプレイ２９１中に記録する。なお、上述のプリンタポート２９３１とＤＶＩインタフェース２９１１の間の信号線２９４にはインタフェースアダプタ２９５が必ず取り付けられ、それによりスキャナ２９２でディスプレイ２９１に対して記録を行える。
【発明の開示】
【発明が解決しようとする課題】
【０００７】
前述の周知のＥＤＩＤ記録作業方式には多くの欠点がある。例えば、（１）一回に一つのビデオインタフェースしか記録できない。（２）記録作業時に、ＰＣを使用する必要があり、且つビデオ信号ソースを必要とする。（３）ＰＣのグラフィックカードはＶＢＥ機能をサポートする特別のグラフィックカードでなければならない。（４）固定地点で記録作業を行う。（５）スクリーンを使用して走査結果を観る必要があり、視角問題により作業員の判定上の不便を形成しやすい。
【０００８】
ゆえに、本発明は、上述の問題を解決するポータブル拡張ディスプレイ認識データ記録器を提供することを目的とする。
【課題を解決するための手段】
【０００９】
上述の目的を達成するため、本発明は一種のポータブル拡張ディスプレイ認識データ記録器を提供し、それは外部コンピュータと接続不要の条件下で、入力装置の接続を通して拡張ディスプレイ認識データ（ＥＤＩＤ）記録作業を行える。該ポータブル拡張ディスプレイ認識データ記録器は、ＥＤＩＤ記録待機中のディスプレイに接続された少なくとも一つのビデオインタフェース、ＥＤＩＤ及びシステムデータを保存したメモリユニット、該入力装置との接続用の入力装置インタフェース、該少なくとも一つのビデオインタフェース、該メモリユニット及び該入力装置インタフェースと電気的に接続されたマイクロコントローラ、を包含する。
【００１０】
これにより、該入力装置によりＥＤＩＤ記録待機中のディスプレイ上の製品バーコードを入力して製品データを獲得し、更にマイクロコントローラにより該製品データを該メモリユニットより取得したＥＤＩＤと併せて、該少なくとも一つのビデオインタフェースを通してＥＤＩＤ記録待機中のディスプレイに伝送してＥＤＩＤを記録する。これにより、本発明は一種のポータブル拡張ディスプレイ認識データ記録器を提供し、則ち、コンピュータ構造より離脱しビデオ信号ソースを外付けする必要なく直接ＥＤＩＤを記録でき、則ち固定地点でなくても単独で一回に一つ以上の接続インタフェースを記録でき、コストと時間を節約し、並びにＰＣのグラフィックカードがＶＢＥ機能を支援する特別なグラフィックカードでなければならない問題を解決し、且つ視角問題が作業員の判定上の不便をもたらす問題を防止できる。
【００１１】
上述したように、本発明のポータブル拡張ディスプレイ認識データ記録器は、キーボード装置、バーコード式入力装置、或いはＲＦＩＤ（Ｒａｄｉｏ  Ｆｒｅｑｕｅｎｃｙ  Ｉｄｅｎｔｉｆｉｃａｔｉｏｎ：電波方式認識）等とされ得て、それは有線入力装置或いは無線入力装置に限定されない。そのうち、バーコード式入力装置はバーコードスキャナとされ得る。
【００１２】
本発明のポータブル拡張ディスプレイ認識データ記録器は、マイクロコントローラと電気的に接続された拡充インタフェースを有し、それはマルチプレクサと組み合わされて記録器に接続され、これによりＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）をダウンロードし、そのうち好ましくは一回で８つのデータ、或いはそれ以上を記録できるものとされる。
【００１３】
本発明のポータブル拡張ディスプレイ認識データ記録器は、更に表示ユニットを包含し、それは拡充インタフェースに接続され、入力装置がＥＤＩＤ記録待機中のディスプレイ上の製品バーコードを入力して製品データを獲得した後に、製品情報を表示するのに用いられる。このほか、記録作業完成後に、表示ユニットは記録状態情報を表示可能で、即刻表示ユニットより製品型番、シリアルナンバー、及び製造年月日或いはデータ記録が成功したか否かを知ることができる。
【００１４】
本発明のポータブル拡張ディスプレイ認識データ記録器は、更にスピーカを包含し、それはマイクロコントローラに電気的に接続されて、記録状態メッセージを通知するのに用いられ、これにより作業員が直接スピーカの発射する音声により記録状態を知ることができる。
【００１５】
本発明のポータブル拡張ディスプレイ認識データ記録器は、更に指示ランプセットを包含し、それは電気的にマイクロコントローラに接続されて、記録状態を通知するのに用いられ、該指示ランプセットは、緑色、赤色、及び黄色の発光ダイオードを包含するのがよく、これにより作業員は騒音の多い作業環境にあっても、指示ランプセットにより記録状態情報を獲得できる。
【００１６】
本発明のポータブル拡張ディスプレイ認識データ記録器はさらに外部コンピュータ接続インタフェースを包含し、それはマイクロコントローラに電気的に接続され、外部コンピュータとの接続に用いられ、これによりデータをダウンロードしてメモリユニット中のＥＤＩＤを更新できる。或いは、メモリユニット中のシステムデータ内に包含されて計数値を包含する計数データをアップロードして、マイクロコントローラによる計数データを更新できる。そのうち、外部コンピュータ接続インタフェースは、好ましくはＲＳ２３２とされるか、その他の入力に供される等価接続インタフェースとされうる。
【００１７】
本発明のポータブル拡張ディスプレイ認識データ記録器は更に電源ユニットを包含し、それは各装置に対して電源を供給する。該電源ユニットは電源入力ユニットを具えた入力装置により直流電源を供給して充電を行い、そのうち、上述の電源入力ユニットは好ましくは直流９〜１２Ｖとされ、例えば一般に使用される直流９〜１２Ｖ電源アダプタとされる。このほか、電源入力ユニットは電源供給状態で、ポータブル拡張ディスプレイ認識データ記録器に必要な電力を供給できる。
【発明の効果】
【００１８】
本発明はコンピュータとの接続不要で、入力装置と接続してＥＤＩＤ記録作業を行えるポータブル拡張ディスプレイ認識データ記録器を提供し、それは、ＥＤＩＤ記録待機中のディスプレイに接続された少なくとも一つのビデオインタフェース、ＥＤＩＤ及びシステムデータを保存したメモリユニット、該入力装置との接続用の入力装置インタフェース、該少なくとも一つのビデオインタフェース、該メモリユニット及び該入力装置インタフェースと電気的に接続されたマイクロコントローラ、を包含する。これにより本発明はコンピュータ構造から離脱して直接ＥＤＩＤを記録でき、すなわち単独作業で一回で一つ以上の接続インタフェースを記録でき、コストと時間を節約できる。
【発明を実施するための最良の形態】
【００１９】
以下に特定の具体的実施例により本発明の実施方式を説明し、本発明の属する技術の分野における通常の知識を有する者が本明細書に記載の内容により簡単に本発明のその他の長所と機能を了解できるようにする。
【００２０】
図４から図５は本発明の第１実施例を示し、図４から分かるように、本発明のポータブルＥＤＩＤ記録器１００は、入力装置インタフェース３により入力装置３１に接続され、ＥＤＩＤ記録待機中のディスプレイ２０１に対して記録作業を行う。そのうち、ＥＤＩＤ記録待機中のディスプレイ２０１は独立した製品バーコード２０１１を具え、この製品バーコード２０１１は、製造日２０１１Ａ、製品シリアルナンバー２０１１Ｂ及び製品型番２０１１Ｃを包含し、それは好ましくは図５に示されるようである。すなわち、入力装置３１がそれを走査した後に、記録作業が開始される。第１実施例中、ポータブルＥＤＩＤ記録器１００は入力装置３１を通して、任意のメーカー製のディスプレイに対しても記録作業を行えるが、その製品バーコードは本発明のポータブルＥＤＩＤ記録器１００が解析可能な形式に変換される必要がある。このほか、本発明は別に選択的に充放電機能を有する電源ユニット１４を提供し、各装置に対して電力供給を行え、例えば図４の矢印に示されるようであり、或いは入力装置３１に電源入力ユニット３２が設けられて直流電源を該ポータブルＥＤＩＤ記録器１００に供給できるものとされる。本実施例中、電源入力ユニット３２は変圧器とされ、それは一般の交流電源に接続後に、直流９〜１２Ｖの電源電圧を供給できる。該電源入力ユニット３２はまたＥＤＩＤ記録待機中のディスプレイ２０１の電力を供給でき、ＥＤＩＤ記録待機中のディスプレイ２０１を電源に接続する必要をなくし、或いは起動してＥＤＩＤデータ２４を該ＥＤＩＤ記録待機中のディスプレイ２０１に伝送できるようにする。
【００２１】
本発明のポータブルＥＤＩＤ記録器１００は三つのビデオインタフェース１１、１２、１３、メモリユニット２、入力装置インタフェース３、マイクロコントローラ４、拡充インタフェース５、表示ユニット６、スピーカ７、指示ランプセット８、及び外部コンピュータ接続インタフェース９を包含する。これらの各装置に関する詳細な説明を以下に行う。
【００２２】
ビデオインタフェース１１、１２、１３は一般の新合繊でディスプレイ２０１の対応するビデオインタフェースに接続される。本実施例では、ビデオインタフェース１１、１２、１３は好ましくはＶＧＡビデオインタフェース、ＤＶＩビデオインタフェース、ＨＤＭＩビデオインタフェース、或いはＵＤＩビデオインタフェース中の任意の三者とされる。
【００２３】
メモリユニット２はＥＤＩＤデータ２４及びシステムデータを保存している。そのうち、システムデータは更に計数データ２１、ＩＤコード２２、検査コード２３、システムパラメータ、型番データ等を包含する。計数データ２１は計数値を含有して統計用に用いられる。ＩＤコード２２はポータブルＥＤＩＤ記録器の唯一のＩＤコードであり、ＥＤＩＤデータ２４登録ダウンロードの識別に用いられる。検査コード２３はうっかり防止機能に用いられ、機種型番の誤記録を防止する。第１実施例中、メモリユニット２は好ましくはＥＥＰＲＯＭ或いはフラッシュＲＯＭ等とされる。
【００２４】
入力装置インタフェース３は入力装置３１との接続に用いられる。本実施例では、全ての設定と操作はいずれも入力装置３１を用いてバーコードを入力することにより実行される。このほか、入力されるバーコードは製品型番２０１１Ｃを包含し、この製品型番２０１１Ｃはメモリユニット２の検査コード２３と対比するコードを忘れるのを防止し、すなわちうっかり防止のメカニズムを提供し、機種型番ＥＤＩＤの誤記録を防止する。
【００２５】
拡充インタフェース５はマイクロコントローラ４に電気的に接続され、マルチプレクサが組み合わされて記録器に接続され、これによりＨＤＣＰデータをポータブルＥＤＩＤ記録器１００にダウンロードし、一回に８つ或いはそれ以上のデータを記録できるようにする。
【００２６】
表示ユニット６は拡充インタフェース５に接続されて、入力装置３１よりＥＤＩＤ記録待機中のディスプレイ２０１に入力される製品バーコード２０１１を獲得した後に、製品情報、例えば製品型番、シリアルコード及び製造日を表示するのに用いられる。また、記録作業完成後に、表示ユニット６はまた記録状態情報を表示するのに用いられ、例えば記録成功か否かを表示する。
【００２７】
スピーカ７はマイクロコントローラ４に電気的に接続され、記録状態メッセージを通知するのに用いられる。
【００２８】
指示ランプセット８はマイクロコントローラ４に電気的に接続され、記録状態メッセージを通知するのに用いられる。本実施例では、指示ランプセット８は緑色、赤色及び黄色発光ダイオード（ＬＥＤ）とされる。例えば記録成功の場合は、緑色発光ダイオードが発光し、そうでなければ、赤色発光ダイオードが発光し、黄色発光ダイオードは電源強弱の状況を指示する。
【００２９】
外部コンピュータ接続インタフェース９はマイクロコントローラ４に電気的に接続され、ＥＤＩＤデータ２４更新が必要である時、外部コンピュータ９０１と接続してデータをダウンロードして、メモリユニット２中のＥＤＩＤデータ２４を更新するのに用いられる。注意すべきことは、ＥＤＩＤデータ２４更新完成後にはコンピュータ装置との接続不要で記録が行えることである。本実施例では、外部コンピュータ接続インタフェース９はＲＳ２３２とされ、ＲＳ２３２を利用してＥＥＰＲＯＭ内のＥＤＩＤデータ２４を更新する時、使用者は事前にシステムデータベースに対して登録し、システムデータベース中に登録者の唯一のＩＤコードが保存されている時、授権取得後にＥＤＩＤをダウンロードでき、これによりＥＥＰＲＯＭ内のＥＤＩＤデータ２４を更新できる。このほか、外部コンピュータ接続インタフェース９はまた外部コンピュータ９０１と接続の後に、メモリユニット２中の計数データ２１をダウンロード可能で、それをデータ統計に用いて後日使用者に対する料金回収を行える。
【００３０】
本実施例は単独作業可能なポータブルＥＤＩＤ記録器１００であり、ＰＣを離れて直接ＥＤＩＤ記録を行え、それはまず入力装置３１でバーコード情報を該ポータブルＥＤＩＤ記録器１００に入力してポータブルＥＤＩＤ記録器１００中の全ての設定と操作を完成した後に、記録機能を実行するもので、入力装置３１によりＥＤＩＤ記録待機中のディスプレイ２０１の製品バーコード２０１１を入力して製品データを取得し、三つのビデオインタフェース１１、１２、１３を通してＥＤＩＤ記録待機中のディスプレイ２０１に保存し、最後にマイクロコントローラ４によりメモリユニット２中の計数データ２１を更新し、すなわち一度ＥＤＩＤを記録すると、メモリユニット２中で即刻一度の記録を累計する。
【００３１】
これにより、本発明はポータブルＥＤＩＤ記録器を提供し、それは、コンピュータ構造より離れてビデオ信号ソースを外付けする必要なく直接ＥＤＩＤを記録でき、すなわち、ＡＣ電源を離れて非固定地点で単独で一度に一つ以上の接続インタフェースを記録でき、これによりコストと時間を節約でき、並びにＰＣのグラフィックカードがＶＢＥ機能をサポートする特別のグラフィックカードでなければならない問題を解決し、且つ視角の問題により作業員に判定上の不便を形成する問題を防止する。
【００３２】
図４には本発明の第２実施例も示される。図４中より分かるように、本第２実施例中のポータブルＥＤＩＤ記録器１００の構造素子はほぼ同じであるが、異なるのは電力供給部分である。本実施例中、ポータブルＥＤＩＤ記録器１００は、電源ユニット１４よりＥＤＩＤ記録待機中のディスプレイ２０１に電力供給し、電源ユニット１４が三つのビデオインタフェース１１、１２、１３によりＥＤＩＤ記録待機中のディスプレイ２０１の接続端と接続され、ＥＤＩＤ記録待機中のディスプレイ２０１の電力を供給する。
【００３３】
これから分かるように、本発明の電力供給ソースは多様な設計を有し、ゆえにＥＤＩＤが記録されるディスプレイ、或いはテレビに交流電源２０１２が接続されてなくても、いずれも記録作業を行える。
【００３４】
また、図４にはさらに本発明の第３実施例も示される。図４から分かるように、本第３実施例中のポータブルＥＤＩＤ記録器１００の構造素子は他の実施例とほぼ同じであるが、異なるのは入力装置３１がバーコードスキャナ３１１とされるか、キーボード３１２、或いはＲＦＩＤ３１３、無線キーボード等とされることである。これにより、本発明は入力装置３１上に多態様の入力方式を具備し、ゆえに有線入力装置、無線入力装置のいずれでもバーコードの入力を行える。
【００３５】
上述の実施例は説明のために例示されたものに過ぎず、本発明の主張する権利範囲はその特許請求の範囲の記載に準じ、本発明に基づきなしうる同等の修飾或いは改変は本発明の請求の範囲に属する。
【図面の簡単な説明】
【００３６】
【図１】周知のＥＤＩＤ記録作業及び装置の表示図である。
【図２】周知のＥＤＩＤ記録作業及び装置の表示図である。
【図３】別の周知のＥＤＩＤ記録作業及び装置の表示図である。
【図４】本発明の実施例のＥＤＩＤ記録作業及び装置の表示図である。
【図５】本発明の実施例の製品バーコード表示図である。
【符号の説明】
【００３７】
３  入力装置インタフェース          ２  メモリユニット
３１  入力装置                      ２１  計数データ
３２  電源入力ユニット              ２２  ＩＤコード
４  マイクロコントローラ            ２３  検査コード
５  拡充インタフェース              ２４  ＥＤＩＤデータ
２０１  ディスプレイ                ６  表示ユニット
２０１１  製品バーコード            ７  スピーカ
２０１１Ａ  製造日                  ８  指示ランプセット
２０１１Ｂ  製品シリアルナンバー    ９  外部コンピュータ接続インタフェース
２０１１Ｃ  製品型番
１１、１２、１３  ビデオインタフェース      ９０１  外部コンピュータ
１００  ポータブルＥＤＩＤ記録器      ３１１  バーコードスキャナ
３１２  キーボード                    ３１３  ＲＦＩＤ
１４  電源ユニット                    １９３、２９３  コンピュータ装置
１９４、２９４  信号線                １９１、２９１  ディスプレイ
１９２、２９２  スキャナ              １９１１  ＶＧＡインタフェース
１９５、２９５  インタフェースアダプタ
１９１２、２９１１  ＤＶＩインタフェース
２９３１  プリンタポート
【図１】
2008304883.tif 000003
【図２】
2008304883.tif 000004
【図３】
2008304883.tif 000005
【図４】
2008304883.tif 000006
【図５】
2008304883.tif 000007